(57)【要約】      （修正有）【課題】ユーザ側が必要な情報のみを取得するようにしたことで、運用中のシステムに導入されても最小限の変更量で対応でき、サーバ側の負荷を抑えることができる情報提供システムを提供する。【解決手段】情報提供システムは、情報サーバ２が記憶する情報のうち、更新確認対象とする情報を記憶させる選択情報記憶制御部１３と、情報サーバ２に対して、更新確認対象とする情報に関し、更新問い合わせ情報を送信する更新情報確認部１４と、情報サーバ２から、更新問い合わせ情報に対する更新情報を受信し、表示部１６に表示させる更新情報通知制御部１５とを有する情報提供装置１と、提供する情報を記憶する情報記憶部と、情報提供装置１から送信された更新問い合わせ情報に基づき、情報記憶部が記憶する情報のうち、更新確認対象とする情報に更新がある場合に、更新情報を情報提供装置１に送信する更新情報通知制御部２２とを有する情報サーバ２と、を備える。【選択図】図２
2017157019.tif 000002
【特許請求の範囲】
【請求項１】
情報サーバが記憶する情報のうち、更新確認対象とする情報を記憶させる選択情報記憶制御部と、
前記情報サーバに対して、前記更新確認対象とする情報に関し、更新問い合わせ情報を送信する更新情報確認部と、
前記情報サーバから、前記更新問い合わせ情報に対する更新情報を受信し、表示部に表示させる更新情報通知制御部とを有する情報提供装置と、
提供する情報を記憶する情報記憶部と、
前記情報提供装置から送信された更新問い合わせ情報に基づき、前記情報記憶部が記憶する情報のうち、前記更新確認対象とする情報に更新がある場合に、更新情報を前記情報提供装置に送信する更新情報通知制御部とを有する情報サーバ
とを備えた情報提供システム。
【請求項２】
前記提供する情報の更新指示を受け付け、当該更新指示を前記情報サーバへ通知する変更情報通知部を有する情報管理制御装置をさらに備え、
前記情報サーバは、前記情報管理制御装置から通知された更新指示に基づき、前記情報記憶部に記憶された情報の更新を行う情報更新部を有する
ことを特徴とする請求項１記載の情報提供システム。
【発明の詳細な説明】
【技術分野】
【０００１】
この発明は、ユーザへ情報を提供する情報提供システムに関するものである。
【背景技術】
【０００２】
従来、ユーザへの情報提供に関する様々な方法が知られている。
例えば、複数の種類のデバイス、センサ、アクチュエータ、エンジニアリングアプリケーション等の機器、ソフトウェアから構成されており、常に機能開発や不具合修正が行われるビル空調監視システムにおいて、システムの機能開発情報や、品質情報、製品の操作マニュアルなどの情報を機能開発や不具合修正に合わせて随時更新し、当該更新情報を作業者へメール等の手段で通知することで、作業者への情報提供を行う方法がある。
【０００３】
一方、情報を提供されるユーザにとっては、それぞれに必要な情報は異なり、不要な情報を含む多くの情報が全て提供されると、必要な情報に気付きにくく、見逃してしまうこともあり得る。また、提供された全ての情報の中から、必要な情報を抽出するのに時間を要してしまう。
具体的には、例えば、上述したようなビル空調監視システムにおいて、当該システムに関する作業は、データの作成、施工管理、製品の動作確認、製品点検等、多岐にわたっており、それぞれの作業を担当する作業者ごとに、必要な情報が異なる。
したがって、全ての更新情報が全作業者へ通知されると、作業者は、必要な情報を見逃してしまうことがあり得、また、多くの更新情報の中から必要な情報を抽出するのに時間を要してしまう。作業者にとって必要な情報の通知が遅れると、作業の手戻りや、重大な不具合の発生に繋がってしまう。
【０００４】
そこで、このような事態を回避するために、例えば、特許文献１には、情報を配信するサーバに、ユーザ毎に配信する情報のカテゴリを定義し、サーバで、情報を抽出、配信する情報提供システムが開示されている。
【先行技術文献】
【特許文献】
【０００５】
【特許文献１】特開２００１−３５７０６０号公報
【発明の概要】
【発明が解決しようとする課題】
【０００６】
しかしながら、特許文献１に開示されているような技術では、既に運用中のシステムに当該技術を導入するにあたっては、サーバ内の処理の変更量が大きく、サーバの負荷が高くなってしまうという課題があった。
【０００７】
この発明は、上記のような課題を解決するためになされたもので、ユーザ側が必要な情報のみを取得するようにしたことで、運用中のシステムに導入されても最小限の変更量で対応でき、サーバ側の負荷を抑えることができる情報提供システムを提供することを目的とする。
【課題を解決するための手段】
【０００８】
この発明に係る情報提供システムは、情報サーバが記憶する情報のうち、更新確認対象とする情報を記憶させる選択情報記憶制御部と、情報サーバに対して、更新確認対象とする情報に関し、更新問い合わせ情報を送信する更新情報確認部と、情報サーバから、更新問い合わせ情報に対する更新情報を受信し、表示部に表示させる更新情報通知制御部とを有する情報提供装置と、提供する情報を記憶する情報記憶部と、情報提供装置から送信された更新問い合わせ情報に基づき、情報記憶部が記憶する情報のうち、更新確認対象とする情報に更新がある場合に、更新情報を前記情報提供装置に送信する更新情報通知制御部とを有する情報サーバとを備えたものである。
【発明の効果】
【０００９】
この発明によれば、ユーザ側が必要な情報のみを取得するようにしたことで、運用中のシステムに導入されても最小限の変更量で対応でき、サーバ側の負荷を抑えることができる。
【図面の簡単な説明】
【００１０】
【図１】この発明の実施の形態１に係る情報提供システムの構成図である。
【図２】この発明の実施の形態１に係る情報提供システムを構成する情報提供装置の構成図である。
【図３】実施の形態１において、選択情報記憶部が記憶する情報の一例を説明する図である。
【図４】この発明の実施の形態１に係る情報提供システムを構成する情報サーバの構成図である。
【図５】実施の形態１において、情報記憶部が記憶する情報の一例を説明する図である。
【図６】この発明の実施の形態１に係る情報提供システムを構成する情報管理制御装置の構成図である。
【図７】この発明の実施の形態１において、情報提供装置における確認情報指定処理の動作を説明するフローチャートである。
【図８】実施の形態１において、選択画面表示制御部が表示部に表示させる選択画面の一例を説明する図である。
【図９】実施の形態１において、作業者から情報選択を受け付けた結果が反映された選択情報記憶部の内容の一例を説明する図である。
【図１０】この発明の実施の形態１において、情報提供装置における情報提供処理の動作を説明するフローチャートである。
【図１１】この発明の実施の形態１における情報サーバの動作を説明するフローチャートである。
【図１２】実施の形態１において、情報サーバの情報記憶部に記憶されている内容の一例を示す図である。
【図１３】この発明の実施の形態１において、情報管理制御装置が、情報サーバの情報の変更、追加、削除等、情報サーバで記憶する情報の更新を行う動作を説明するフローチャートである。
【図１４】実施の形態１において、情報管理制御装置の画面表示制御部が表示部に表示させる変更受付画面の一例を説明する図である。
【図１５】実施の形態１において、情報管理制御装置の画面表示制御部が表示部に表示させる変更受付画面の一例を説明する図である。
【図１６】実施の形態１において、情報管理制御装置の画面表示制御部が表示部に表示させる変更受付画面の一例を説明する図である。
【図１７】図１７Ａ，図１７Ｂは、この発明の実施の形態１における情報提供装置、および、情報管理制御装置のハードウェア構成の一例を示す図である。
【図１８】図１８Ａ，図１８Ｂは、この発明の実施の形態１における情報サーバのハードウェア構成の一例を示す図である。
【発明を実施するための形態】
【００１１】
以下、この発明の実施の形態について図面を参照しながら詳細に説明する。
実施の形態１．
この実施の形態１では、一例として、情報提供システムを、ビル空調監視システムに適用したものとして以下説明する。
図１は、この発明の実施の形態１に係る情報提供システムの構成図である。
図１に示すように、情報提供システムは、情報提供装置１と、情報サーバ２と、情報管理制御装置３とを備える。情報提供装置１と情報サーバ２と情報管理制御装置３とは、通信回線であるインターネット網に接続される。
【００１２】
情報提供装置１は、ビル空調監視システムにおけるユーザ、すなわち、作業者が作業する作業ＰＣ（図示を省略）に備えられ、作業者の指定に基づき、情報サーバ２が管理する情報のうち、機器開発や不具合修正等によって更新されているかの確認を行う情報の指定を行う。情報提供装置１における、当該確認を行う情報の指定を行う動作を、確認情報指定処理とする。
【００１３】
また、情報提供装置１は、電源投入時、あるいは、予め設定された日時に、情報サーバ２が管理する情報のうち、作業者が確認情報指定処理において指定した情報について、機能開発や不具合修正等によって更新された情報があるかどうかの問い合わせ情報を送信し、更新された情報がある場合に、当該更新情報を情報サーバ２から取得し、作業者に提供する。なお、この実施の形態１において、情報サーバ２で管理されている情報の更新とは、情報の内容の変更や、情報の追加あるいは削除を含む。すなわち、情報提供装置１は、情報サーバ２で管理されている情報に内容変更、追加、削除があった場合に、当該情報を更新情報として取得し、作業者に提供する。情報提供装置１における、当該更新情報を取得し、作業者に提供する動作を、情報提供処理とする。
【００１４】
情報サーバ２は、例えば、ビル空調監視システムにおける機能開発状況や、品質情報、空調機器等の製品の操作の操作マニュアルなど、全ての作業者へ提供する情報を記憶する。
【００１５】
情報管理制御装置３は、ビル空調監視システムにおける情報サーバ２の管理者に使用権限が与えられた設定用ＰＣ（図示を省略）に備えられ、機能開発や不具合修正等があった場合や、管理する情報のカテゴリ、コンテンツの追加あるいは削除があった場合等に、随時、情報サーバ２の情報の変更、追加、削除等、情報サーバ２の更新を行う。情報管理制御装置３における、当該情報サーバ２の情報を更新する動作を、情報更新処理とする。
【００１６】
なお、図１では、情報提供装置１を３台としているが、これに限らず、情報提供装置１は１台，２台であってもよいし、４台以上としてもよい。
また、図１では、情報管理制御装置３を１台としているが、これに限らず、情報管理制御装置３は、２台以上としてもよい。
【００１７】
図２は、この発明の実施の形態１に係る情報提供システムを構成する情報提供装置１の構成図である。
図２に示すように、情報提供装置１は、操作受付部１１と、選択画面表示制御部１２と、選択情報記憶制御部１３と、更新情報確認部１４と、更新情報通知制御部１５と、表示部１６と、通信部１７と、選択情報記憶部１８とを備える。
操作受付部１１は、作業者による各種操作を受け付ける。操作受付部１１は、選択画面呼出指示受付部１０１と、情報選択受付部１０２とを備える。
【００１８】
選択画面呼出指示受付部１０１は、作業者から、情報サーバ２で記憶されている情報のうち、更新を確認する対象とする情報（更新確認対象とする情報）を選択するための選択画面の呼出指示を受け付ける。なお、選択画面には、情報サーバ２で記憶されている情報が一覧で表示され、作業者は、当該選択画面を確認し、情報サーバ２で記憶されている情報のうち、更新確認対象とする情報を選択する。
情報選択受付部１０２は、作業者から、選択画面に表示された、情報サーバ２で記憶されている情報の一覧に基づき、更新確認対象とする情報の選択を受け付ける。
選択画面表示制御部１２は、選択画面呼出指示受付部１０１が選択画面の呼出指示を受け付けると、選択情報記憶部１８を参照し、更新確認対象とする情報を選択するための選択画面を生成し、表示部１６に表示させる。
選択情報記憶制御部１３は、情報選択受付部１０２が受け付けた、更新確認対象とする情報を、選択情報記憶部１８に記憶させる。
【００１９】
更新情報確認部１４は、情報提供装置１の起動時、あるいは、予め設定された日時等、予め決められた情報提供タイミングになると、通信部１７を介して、情報サーバ２に対して、選択情報記憶部１８が記憶している、更新確認対象とする情報に関し、更新があるか否かを問い合わせる更新問い合わせ情報を送信する。
更新情報通知制御部１５は、情報サーバ２から通信部１７を介して受信した更新情報を、表示部１６に表示させる。
表示部１６は、例えば、更新確認対象とする情報の選択画面や、情報サーバ２から受信した更新情報等の各種情報を表示する。
通信部１７は、情報サーバ２との通信を行う。
選択情報記憶部１８は、情報サーバ２で記憶されている情報の内容を記憶している。また、選択情報記憶部１８は、情報選択受付部１０２が受け付けた、情報サーバ２で記憶されている情報のうち、更新確認対象とする情報がどれであるかを記憶する。
【００２０】
ここで、図３は、実施の形態１において、選択情報記憶部１８が記憶する情報の一例を説明する図である。
図３に示すように、選択情報記憶部１８は、情報サーバ２で記憶されている情報を特定する項目、すなわち、情報サーバ２で記憶されている情報の名称を記憶している。
ここでは、情報サーバ２には、例えば、品質情報、販売情報、新機能情報等のカテゴリ毎に、機能開発状況や操作マニュアル等のコンテンツ、および、当該コンテンツの具体的な情報が階層で記憶されているものとすると（情報サーバ２で記憶している情報の詳細については後述する）、選択情報記憶部１８には、図３のように、カテゴリ名と、カテゴリ毎のコンテンツ名が、階層で記憶される。このように、選択情報記憶部１８では、情報サーバ２において階層で管理されている情報の名称を、情報サーバ２の階層構造と同様の階層構造で記憶するようにする。
なお、図３においては、説明の簡単のため、品質情報等、情報のカテゴリの名称について、カテゴリ１，カテゴリ２，・・・，カテゴリｎとし、カテゴリ内の情報を表すコンテンツの名称について、コンテンツ１−１，・・・，コンテンツｎ−ｚとしている。
【００２１】
また、図３に示すように、各コンテンツ名には、対象フラグが付与されて記憶されており、情報サーバ２へ更新確認対象とするコンテンツ名には、対象フラグ１が設定される。なお、対象フラグの初期値は０である。
【００２２】
また、この実施の形態１では、図１に示すように、表示部１６，選択情報記憶部１８は、情報提供装置１が備えるようにしたが、これに限らず、表示部１６，選択情報記憶部１８は、情報提供装置１の外部に備えられるようにしてもよい。
【００２３】
図４は、この発明の実施の形態１に係る情報提供システムを構成する情報サーバ２の構成図である。
情報サーバ２は、図４に示すように、通信部２１と、更新情報通知制御部２２と、情報更新部２３と、情報記憶部２４と、情報取得部２５とを備える。
通信部２１は、情報提供装置１、あるいは、情報管理制御装置３との通信を行う。
更新情報通知制御部２２は、通信部２１を介して情報提供装置１から受信した、更新問い合わせ情報に基づき、情報記憶部２４を参照し、該当の更新情報があれば、当該更新情報を取得し、通信部２１を介して情報提供装置１へ送信する。
情報更新部２３は、通信部２１を介して情報管理制御装置３から受信した変更情報に基づき、情報記憶部２４に記憶された情報の更新を行う。
【００２４】
情報記憶部２４は、ビル空調監視システムにおける機能開発状況や、品質情報、製品の操作マニュアルなど、情報サーバ２において管理する情報を記憶する。
ここで、図５は、実施の形態１において、情報記憶部２４が記憶する情報の一例を説明する図である。
なお、例えば、情報サーバ２の情報記憶部２４に、図５に示す内容が記憶されていたとすると、情報提供装置１の選択情報記憶部１８で記憶されている情報は、図３で説明した内容になる。
【００２５】
情報記憶部２４は、例えば、品質情報、販売情報、新機能情報等のカテゴリと、当該カテゴリ毎に、機能開発状況や操作マニュアル等、カテゴリに関する情報を表すコンテンツと、当該コンテンツに関する情報（以下、記事情報とする）が階層で記憶されている。また、情報記憶部２４は、各記事情報に、変更フラグ、追加フラグを付与して記憶している。該当のコンテンツの記事情報に変更があった場合には変更フラグに１が設定される。また、記事情報の追加があった場合には、当該記事情報が追加されるとともに、追加フラグには１が設定される。
記事情報の変更や追加は、情報管理制御装置３による情報更新処理によって行われる。情報管理制御装置３の構成、および、情報更新処理については後述する。
【００２６】
なお、変更フラグ、追加フラグの初期値は０とする。また、ここでは、情報記憶部２４は、変更フラグ、追加フラグをそれぞれ記憶しているものとしたが、これに限らず、例えば、変更があった場合には１、追加があった場合は２等、区分で変更・追加があった旨を記憶する変更・追加区分を記憶するようにしてもよく、各カテゴリ内のコンテンツの記事情報に変更や追加があったことを特定できるようになっていればよい。
【００２７】
情報取得部２５は、通信部２１を介して情報管理制御装置３から、情報記憶部２４で記憶している情報の送信要求を受信した場合に、情報記憶部２４で記憶しているカテゴリ名、コンテンツ名、記事情報の内容を取得し、通信部２１を介して情報管理制御装置３へ送信する。
【００２８】
図６は、この発明の実施の形態１に係る情報提供システムを構成する情報管理制御装置３の構成図である。
情報管理制御装置３は、図６に示すように、操作受付部３１と、変更情報通知部３２と、通信部３３と、管理情報取得部３４と、画面表示制御部３５と、表示部３６とを備える。
操作受付部３１は、ビル空調監視システムにおける情報サーバ２の管理者から、変更受付画面の呼出指示を受け付ける画面呼出受付部３０１と、管理者から情報サーバ２で記憶する情報の更新指示を受け付ける変更情報受付部３０２とを備える。なお、この実施の形態１において、情報サーバ２で記憶する情報の更新とは、情報サーバ２で記憶する情報の変更、追加、削除等をいう。
【００２９】
変更情報通知部３２は、変更情報受付部３０２が受け付けた更新指示を、通信部３３を介して情報サーバ２へ送信する。
通信部３３は、情報サーバ２との通信を行う。
管理情報取得部３４は、画面呼出受付部３０１が、管理者からの変更受付画面の呼出指示を受け付けると、通信部３３を介して、情報サーバ２から、情報サーバ２が記憶している情報の内容を取得する。
画面表示制御部３５は、管理情報取得部３４が取得した情報に基づき、変更受付画面を表示部３６に表示させる。また、画面表示制御部３５は、操作受付部３１の変更情報受付部３０２が受け付けた情報に応じて、変更受付画面を表示部３６に表示させる。
表示部３６は、各種画面を表示させる。
なお、この実施の形態１では、図６に示すように、情報管理制御装置３が表示部３６を備えるようにしたが、これに限らず、表示部３６は、情報管理制御装置３の外部に備えられるようにしてもよい。
【００３０】
動作について説明する。
図７は、この発明の実施の形態１において、情報提供装置１における確認情報指定処理の動作を説明するフローチャートである。
なお、確認情報指定処理は、作業者によって、必要に応じて任意のタイミングで行うことができるものとする。
【００３１】
操作受付部１１の選択画面呼出指示受付部１０１は、情報サーバ２で記憶されている情報について、更新確認対象とする情報を選択するための選択画面の呼出指示を受け付けるまで待機し（ステップＳＴ７０１の“ＮＯ”の場合）、選択画面の呼出指示を受け付けると（ステップＳＴ７０１の“ＹＥＳ”の場合）、当該選択画面の呼出指示受付情報を、選択画面表示制御部１２に出力する。
【００３２】
選択画面表示制御部１２は、ステップＳＴ７０１において選択画面の呼出指示受付情報が出力されると、選択情報記憶部１８を参照し、更新確認対象とする情報を選択するための選択画面を生成し、表示部１６に表示させる（ステップＳＴ７０２）。具体的には、選択画面表示制御部１２は、選択情報記憶部１８に記憶しているカテゴリ名、コンテンツ名を一覧にした選択画面を表示部１６に表示させる。選択情報記憶部１８には、情報サーバ２で記憶する情報の名称が記憶されているので、ステップＳＴ７０２では、情報サーバ２で記憶されている情報の名称の一覧が表示されることになる。
【００３３】
ここで、図８は、実施の形態１において、選択画面表示制御部１２が表示部１６に表示させる選択画面の一例を説明する図である。
なお、ここでは、選択情報記憶部１８には、図３で説明した内容の情報が記憶されているものとする。
図８に示すように、選択画面表示制御部１２は、選択情報記憶部１８で記憶しているカテゴリ名、コンテンツ名と、当該情報を選択するためのチェックボックス８ａを表示する選択画面を生成し、表示部１６に表示させる。
選択画面表示制御部１２は、表示させる情報について、対応関係がわかるように、すなわち、情報の階層がわかるように、表示部１６に表示させる。
【００３４】
操作受付部１１の情報選択受付部１０２は、作業者から、選択画面に表示された、情報サーバ２で記憶されている情報の名称の一覧に基づき、更新確認対象とする情報の選択を受け付ける（ステップＳＴ７０３）。
具体的には、作業者は、図８に示すような選択画面を確認し、所望の情報、すなわち、情報サーバ２へ更新確認対象とするカテゴリ名、あるいは、コンテンツ名を選択する。作業者は、例えば、マウスを操作し、選択画面上の、該当の情報を表すカテゴリ名、あるいは、コンテンツ名に付与されたチェックボックス８ａをクリックすることで所望の情報を選択する。
なお、ここでは、選択画面表示制御部１２は、チェックボックス８ａを表示させ、情報選択受付部１０２は、当該チェックボックス８ａの選択を受け付けることで、作業者から所望の情報の選択を受け付けることとしたが、これに限らず、例えば、選択画面表示制御部１２は、選択画面に表示させるカテゴリ名、あるいは、コンテンツ名をクリック可能とし、情報選択受付部１０２は、カテゴリ名あるいはコンテンツ名のクリック操作を受け付けることで、作業者から所望の情報の選択を受け付けるようにしてもよく、作業者から所望の情報の選択を受け付けられるようになっていればよい。
【００３５】
情報選択受付部１０２は、作業者から、更新確認対象とする情報の選択の受け付けを完了したかどうかを判断する（ステップＳＴ７０４）。
作業者は、選択画面から、更新確認対象とする情報の名称を複数選択することができる。従って、例えば、選択画面上の完了ボタン（図示省略）をクリックする等して、所望の情報の選択を完了したことを通知する。ステップＳＴ７０４において、情報選択受付部１０２は、当該完了通知を受け付けたかどうかを判断する。
【００３６】
ステップＳＴ７０４において、更新確認対象とする情報の選択の受け付けを完了していないと判断した場合（ステップＳＴ７０４の“ＮＯ”の場合）、ステップＳＴ７０３に戻る。
ステップＳＴ７０４において、更新確認対象とする情報の選択の受け付けを完了したと判断した場合（ステップＳＴ７０４の“ＹＥＳ”の場合）、情報選択受付部１０２は、選択を受け付けた情報、すなわち、選択を受け付けたカテゴリ名、あるいは、コンテンツ名を、選択情報記憶制御部１３に通知する。
ここでは、図８に示すように、カテゴリ１のコンテンツ１−１，コンテンツ１−２，コンテンツ１−３と、カテゴリ２のコンテンツ２−１，コンテンツ２−Ｙの選択を受け付けたものとする。なお、作業者が、例えば、カテゴリ１のチェックボックス８ａをチェックすることで、カテゴリ１に関連する全てのコンテンツのチェックボックス８ａがチェックされる。
【００３７】
選択情報記憶制御部１３は、情報選択受付部１０２が受け付けた、情報サーバ２へ更新確認対象とする情報を記憶させるよう、選択情報記憶部１８を更新する（ステップＳＴ７０５）。具体的には、選択情報記憶制御部１３は、情報選択受付部１０２から通知されたカテゴリ名、あるいは、コンテンツ名、すなわち、ステップＳＴ７０３で情報選択受付部１０２が受け付けたカテゴリ名、あるいは、コンテンツ名に関し、選択情報記憶部１８において紐付けて記憶されている対象フラグを１に更新する。
図９は、実施の形態１において、作業者から情報選択を受け付けた結果が反映された選択情報記憶部１８の内容の一例を説明する図である。
ここでは、選択情報記憶制御部１３によって対象フラグが更新され、図９に示すように、カテゴリ１のコンテンツ１−１，コンテンツ１−２，コンテンツ１−３と、カテゴリ２のコンテンツ２−１，コンテンツ２−Ｙの対象フラグが１となる。
【００３８】
以上の動作により、情報提供装置１は、作業者の指定に基づき、情報サーバ２が記憶する情報のうち、機器開発や不具合修正等によって更新されている情報があるかの確認を行う項目に関する情報を記憶する。
なお、選択情報記憶制御部１３によって更新された対象フラグは、作業者が、情報サーバ２が記憶する情報のうち、更新されているかの確認を行う情報を指定する都度、最新の状態が対象フラグに反映されるようにする。
【００３９】
次に、この発明の実施の形態１における、情報提供装置１の情報提供処理の動作を説明する。情報提供処理は、情報提供装置１の電源投入時、あるいは、予め設定された日時等、予め決められた情報提供タイミングになった場合に行われ、当該情報提供処理の前には、図７を用いて説明した確認情報指定処理が行われていることを前提とする。
【００４０】
図１０は、この発明の実施の形態１において、情報提供装置１における情報提供処理の動作を説明するフローチャートである。
更新情報確認部１４は、例えば、電源部（図示省略）から、情報提供装置１に電源が投入された旨の通知を受け付けた、あるいは、内部で保持する時計（図示省略）から取得する時刻情報に基づき、予め設定された日時になった等、予め決められた情報提供タイミングになるまで待機し（ステップＳＴ１００１の“ＮＯ”の場合）、予め決められた情報提供タイミングになったと判断すると（ステップＳＴ１００１の“ＹＥＳ”の場合）、情報サーバ２に対して、情報サーバ２が記憶する情報に更新があるか否かを問い合わせる更新問い合わせ情報を作成する（ステップＳＴ１００２）。
【００４１】
具体的には、更新情報確認部１４は、選択情報記憶部１８を参照し、対象フラグに１が設定されているカテゴリ名、あるいは、コンテンツ名を抽出し、当該情報を含む更新問い合わせ情報を作成する。
例えば、選択情報記憶部１８の内容が、図９に示す内容であったとすると、更新情報確認部１４は、カテゴリ１のコンテンツ１−１，コンテンツ１−２，コンテンツ１−３と、カテゴリ２のコンテンツ２−１，コンテンツ２−Ｙのコンテンツ名を含む情報を、更新問い合わせ情報とする。なお、ここでは、コンテンツ単位でコンテンツ名称を抽出するようにするが、カテゴリ内の全てのコンテンツが対象の場合は、カテゴリ名を抽出するようにしてもよい。
【００４２】
また、更新問い合わせ情報には、コンテンツ名の他、例えば、情報提供装置１のＩＤ番号や、確認情報指定処理を行った作業者ＩＤの情報が含まれていてもよく、少なくとも、更新情報確認部１４において対象フラグに１が設定されているコンテンツ名の情報が含まれるようになっていればよい。
【００４３】
更新情報確認部１４は、ステップＳＴ１００２において作成した更新問い合わせ情報を、通信部１７を介して情報サーバ２へ送信する（ステップＳＴ１００３）。
【００４４】
ステップＳＴ１００３において送信された更新問い合わせ情報を受信し、情報サーバ２では、該当の更新情報があれば、当該更新情報を情報提供装置１へ送信する。この、情報サーバ２における動作については後述する。
【００４５】
更新情報通知制御部１５は、通信部１７を介して情報サーバ２から、ステップＳＴ１００３で送信した更新問い合わせ情報に対する更新情報を受信するまで待機し（ステップＳＴ１００４の“ＮＯ”の場合）、情報サーバ２から更新情報を受信すると（ステップＳＴ１００４の“ＹＥＳ”の場合）、受信した更新情報を表示部１６に表示させる（ステップＳＴ１００５）。
例えば、ステップＳＴ１００３で更新問い合わせを行ったカテゴリ１のコンテンツ１−１とコンテンツ１−２の情報が更新されている旨の更新情報を受信すると、更新情報通知制御部１５は、コンテンツ１−１とコンテンツ１−２の情報に更新がある旨のメッセージと、更新後のコンテンツ１−１，コンテンツ１−２の記事情報の内容をそれぞれ表示部１６に表示させる。あるいは、例えば、更新があったコンテンツ１−１，コンテンツ１−２の名称を一覧表示させ、作業者からの選択指示を受け付けると、該当の更新情報の内容を表示させるようにしてもよい。なお、更新情報には、少なくとも、更新があったカテゴリ、あるいは、コンテンツ等の名称と、更新後の記事情報の内容が含まれている。
【００４６】
また、情報サーバ２から受信する更新情報には、情報サーバ２で管理する情報に追加があった場合の追加情報、あるいは、削除があった場合の削除情報が含まれている。
したがって、更新情報通知制御部１５は、追加情報、あるいは、削除情報がある場合（ステップＳＴ１００６の“ＹＥＳ”の場合）、追加になった情報を選択情報記憶部１８に追加、あるいは、削除になった情報を選択情報記憶部１８から削除することで、情報サーバ２で管理する情報と同期のとれた最新の状態に更新する（ステップＳＴ１００７）。
情報サーバ２から受信する更新情報に、追加情報、あるいは、削除情報が含まれていない場合（ステップＳＴ１００６の“ＮＯ”の場合）は、選択情報記憶部１８の更新は行わず、処理終了する。
【００４７】
以上の動作により、情報提供装置１は、情報サーバ２で記憶している情報のうち、作業者が指定した情報についてのみ、機器開発や不具合修正等によって更新されているかを表示部１６に表示させ、作業者に提供することができる。これにより、作業者は、必要な情報を見逃してしまうことがなく、また、多くの更新情報の中から必要な情報を抽出するのに時間を要することもなくなる。
【００４８】
図１１は、この発明の実施の形態１における情報サーバ２の動作を説明するフローチャートである。
図１１に沿って、情報サーバ２において、図１０のステップＳＴ１００３で情報提供装置１から送信された更新問い合わせ情報を受信し、受信した更新問い合わせ情報に対する更新情報を情報提供装置１へ送信する動作について説明する。
更新情報通知制御部２２は、通信部２１を介して、情報提供装置１の更新情報確認部１４から送信された更新問い合わせ情報を受信する（ステップＳＴ１１０１）。
【００４９】
更新情報通知制御部２２は、情報記憶部２４を参照し、ステップＳＴ１１０１で受信した更新問い合わせ情報に含まれるコンテンツ名称と、情報記憶部２４に記憶しているコンテンツ名との突き合わせを行い、突き合わせができたコンテンツに関し、情報記憶部２４に記憶している記事情報に更新があるかどうかを確認し、更新がある場合、更新情報を取得する（ステップＳＴ１１０２）。
ここで、更新情報通知制御部２２は、更新問い合わせ情報として、カテゴリ１のコンテンツ１−１，コンテンツ１−２，コンテンツ１−３と、カテゴリ２のコンテンツ２−１，コンテンツ２−Ｙのコンテンツの更新情報有無の問い合わせ情報を受信したものとし、情報記憶部２４には、図１２に示す内容が記憶されていたとすると、カテゴリ１のコンテンツ１−１，コンテンツ１−２，コンテンツ１−３と、カテゴリ２のコンテンツ２−１，コンテンツ２−Ｙのコンテンツのうち、変更フラグに１が設定されているのはカテゴリ１のコンテンツ１−２のみなので、カテゴリ１のコンテンツ１−２の記事情報に変更があったものと特定し、カテゴリ名としてカテゴリ１、コンテンツ名としてコンテンツ１−２、記事情報を更新情報として取得する。
また、このとき、更新情報通知制御部２２は、あわせて、追加情報、削除情報がないかの確認も行う。具体的には、追加フラグに１が設定されている情報があるか、情報提供装置１から受信した更新問い合わせ情報に含まれる情報について、情報記憶部２４に記憶されている情報と突き合わせができない情報がないかの確認を行う。
【００５０】
ここでは、カテゴリ１のコンテンツ１−ｘの記事情報に追加フラグが設定されているので、更新情報通知制御部２２は、カテゴリ１のコンテンツ１−ｘの記事情報を、追加情報として更新情報に加える。
【００５１】
また、カテゴリ２のコンテンツ２−１については、情報記憶部２４から削除されており、更新問い合わせ情報のコンテンツ名称と突き合わせができないため、当該カテゴリ２のコンテンツ２−１を削除情報として更新情報に加える。
なお、更新情報通知制御部２２は、更新情報においては、例えば、変更表示、追加表示、削除表示等によって、それぞれ、変更があった変更情報なのか、追加があった追加情報なのか、削除があった削除情報なのかを判別できるようにする。
【００５２】
また、ステップＳＴ１１０２において、更新情報通知制御部２２は、変更フラグ、あるいは、追加フラグに１が設定されている情報を取得する際、当該変更フラグ、あるいは、追加フラグを０にする。これにより、情報が更新された後、情報提供装置１へ通知済の情報について、再度更新情報として通知されることを防ぐことができる。
【００５３】
更新情報通知制御部２２は、ステップＳＴ１１０２で取得した更新情報を、通信部２１を介して情報提供装置１へ送信する（ステップＳＴ１１０３）。
【００５４】
このように、情報サーバ２では、情報提供装置１から更新問い合わせ情報として、必要な情報に絞った更新確認依頼を受信し、当該更新確認依頼のあった該当の情報について、更新があれば情報記憶部２４から抽出し、情報提供装置１へ通知する。この時、情報サーバ２では、情報提供装置１にとって必要な情報を判断することはなく、情報提供装置１ごとに必要な情報を管理しておく必要がないので、例えば、既に運用中のシステムに新規に情報提供装置１が追加されたような場合であっても、情報サーバ２内で当該追加された情報提供装置１に通知が必要な情報を新たに管理するようにする作業が不要であり、情報サーバ２内の処理の変更量が大きくなることもなく、サーバの負荷もおさえられる。
【００５５】
なお、この実施の形態１において、情報サーバ２は、情報提供装置１から送信された更新問い合わせ情報に対する更新がなかった場合には、情報提供装置１に対して更新情報を送信しないようにしてもよいし、該更新がない旨の更新情報を送信し、情報提供装置１において、更新なしとの通知を表示部１６に表示させるようにしてもよい。
【００５６】
次に、情報管理制御装置３による、情報更新処理の動作について説明する。
情報更新処理は、機能開発や不具合修正等があった場合や、管理する情報のカテゴリ、コンテンツの追加あるいは削除があった場合等に、随時、ビル空調監視システムにおける情報サーバ２の管理者の指示に基づいて行われる処理であり、当該情報更新処理において、情報サーバ２で記憶する情報の更新を行う。情報管理制御装置３は、管理者に使用権限が与えられた設定用ＰＣに備えられ、管理者は、設定用ＰＣから、当該情報更新処理を行う。
【００５７】
図１３は、この発明の実施の形態１において、情報管理制御装置３が、情報サーバ２の情報の変更、追加、削除等、情報サーバ２で記憶する情報の更新を行う動作を説明するフローチャートである。
画面呼出受付部３０１は、管理者から、変更受付画面の呼出指示を受け付けたかどうかを判断する（ステップＳＴ１３０１）。管理者は、例えば、情報管理制御装置３を立ち上げ、表示部３６に表示された変更受付ボタンをマウスでクリックする等して、変更受付画面の呼出指示を行う。
【００５８】
ステップＳＴ１３０１において、変更受付画面の呼出指示を受け付けていない場合（ステップＳＴ１３０１の“ＮＯ”の場合）、ステップＳＴ１３０１の処理を繰り返し、変更受付画面の呼出指示を受け付けるまで待機する。
ステップＳＴ１３０１において、変更受付画面の呼出指示を受け付けると（ステップＳＴ１３０１の“ＹＥＳ”の場合）、管理情報取得部３４は、通信部３３を介して、情報サーバ２に対して、情報サーバ２が管理する管理情報の送信要求を送信し、情報サーバ２から、情報サーバ２の情報記憶部２４で記憶している情報を取得する（ステップＳＴ１３０２）。このステップＳＴ１３０２において、管理情報取得部３４が送信した情報の送信要求を受信すると、情報サーバ２では、情報取得部２５が、情報記憶部２４で記憶しているカテゴリ名、コンテンツ名、記事情報の内容を取得し、通信部２１を介して、情報管理制御装置３へ送信する。管理情報取得部３４は、当該情報サーバ２から送信された情報を取得する。
【００５９】
画面表示制御部３５は、ステップＳＴ１３０２において管理情報取得部３４が取得した情報に基づき、変更受付画面を表示部３６に表示させ（ステップＳＴ１３０３）、画面表示制御部３５と、変更情報受付部３０２とで、更新指示受付処理を行う（ステップＳＴ１３０４）。
ステップＳＴ１３０３、および、ステップＳＴ１３０４の更新指示受付処理の一例について、具体的に説明する。なお、以下に説明する例では、管理者は、情報サーバ２の情報記憶部２４で記憶している記事情報の内容の変更を行うものとし、情報サーバ２の情報記憶部２４で記憶している情報の内容は、図５で示す内容であるものとする。
まず、ステップＳＴ１３０２において、管理情報取得部３４が情報サーバ２で記憶している情報を受信すると、画面表示制御部３５は、図１４に示すように、取得した情報のカテゴリ名を一覧にした変更受付画面１４０１を、表示部３６に表示させる。
管理者は変更受付画面１４０１を確認し、変更したいカテゴリを、例えば、マウスでクリックする等して選択する。ここでは、カテゴリ１が選択されたものとする。
変更情報受付部３０２は、カテゴリ１の選択を受け付けると、画面表示制御部３５に、受け付けたカテゴリ１の情報を出力する。
【００６０】
画面表示制御部３５は、カテゴリ１の情報が出力されると、管理情報取得部３４が受信した情報のうち、カテゴリ１のコンテンツであるコンテンツ１−１〜１−３のコンテンツ名を一覧にした変更受付画面１５０１を表示部３６に表示させる（図１５参照）。
管理者は、変更受付画面１５０１を確認し、変更したいコンテンツを、例えば、マウスでクリックする等して選択する。ここでは、コンテンツ１−３が選択されたものとする。
変更情報受付部３０２は、コンテンツ１−３の選択を受け付けると、画面表示制御部３５に、受け付けたコンテンツ１−３の情報を出力する。
画面表示制御部３５は、コンテンツ１−３の情報が出力されると、管理情報取得部３４が受信した情報のうち、コンテンツ１−３の記事情報を表示した変更受付画面１６０１を表示部３６に表示させる（図１６参照）。
【００６１】
管理者は、変更受付画面１６０１を確認し、キーボード等を操作して、記事情報の変更を行う。そして、記事情報の変更を完了すると、変更受付画面１６０１に表示された完了ボタンをクリックする等して変更作業を終了する。当該完了ボタンの選択を受け付けると、変更情報受付部３０２は、管理者による、情報サーバ２の情報記憶部２４で記憶している情報の更新指示の受け付けを完了したと判断し、管理者から受け付けた更新指示内容を、変更情報通知部３２へ出力する。ここでは、コンテンツ１−３の変更後の記事情報を、変更情報通知部３２に出力する。
一方、続けて他の情報の変更等を行う場合は、変更受付画面１６０１に表示された戻るボタンをクリックする等して、前の画面に戻り、変更作業を繰り返す。
【００６２】
なお、上述した更新指示受付処理の動作は一例であり、これに限らず、この他の方法を採用するようにしてもよく、情報管理制御装置３において、管理者から、情報サーバ２の情報記憶部２４が記憶している情報の更新指示を受け付けられるようになっていればよい。
また、ここでは、上述のように、管理者がコンテンツの記事情報を変更する例を説明したが、カテゴリ、コンテンツ、記事情報は、適宜、追加、削除することもできる。例えば、管理者は、コンテンツの追加をしたい場合には、変更受付画面１５０１に表示された追加ボタンをクリック等し、画面表示制御部３５が追加情報入力画面（図示省略）を表示させて、管理者からの情報の入力を受け付けるようにすればよい。管理者は、情報を削除したい場合には、該当の変更受付画面において、削除ボタンをクリック等することで、削除指示を行うようにすればよい。
【００６３】
図１３のフローチャートに戻る。
変更情報通知部３２は、変更情報受付部３０２から、変更、追加、削除等、情報サーバ２の情報記憶部２４が記憶している情報の更新指示が出力されると、当該更新指示を、通信部３３を介して、情報サーバ２へ通知する（ステップＳＴ１３０５）。
【００６４】
ステップＳＴ１３０５で通知された更新指示に基づき、情報サーバ２の情報更新部２３は、情報記憶部２４で記憶している情報の更新をする。
ここでは、変更情報通知部３２は、コンテンツ１―３の記事情報の変更の指示を更新指示として、情報サーバ２へ通知したとすると、情報サーバ２の情報更新部２３は、情報記憶部２４で記憶しているコンテンツ１−３の記事情報を、変更情報通知部３２から通知された内容に更新する。
このとき、情報更新部２３は、更新した記事情報の変更フラグを１に更新する。
なお、情報サーバ２では、変更情報通知部３２から、情報の追加指示が通知された場合には、当該通知に基づき、情報記憶部２４への情報追加を行い、変更情報通知部３２から、情報の削除指示が通知された場合には、当該通知に基づき、情報記憶部２４で記憶している情報から、該当の情報を削除する。
【００６５】
このように、情報管理制御装置３では、管理者から、情報サーバ２の情報記憶部２４で記憶している情報の更新指示を受け付け、受け付けた更新指示に基づいて、情報サーバ２に対して、情報記憶部２４で記憶している情報を更新させる。
そして、情報管理制御装置３からの更新指示に基づいて情報サーバ２の情報記憶部２４で記憶している情報が更新されると、当該更新された情報を、更新確認対象とする情報に設定している情報提供装置１から、情報サーバ２へ更新問い合わせ情報が送信された場合に、当該更新問い合わせ情報に対する更新情報として、情報提供装置１へ送信される。
【００６６】
図１７Ａ，図１７Ｂは、この発明の実施の形態１における情報提供装置１のハードウェア構成の一例を示す図である。
この発明の実施の形態１において、操作受付部１１は、マウス１７０３やキーボード１７０４である。
情報提供装置１の選択画面表示制御部１２、選択情報記憶制御部１３、更新情報確認部１４、更新情報通知制御部１５の各機能は、処理回路１７０２により実現される。すなわち、情報提供装置１は、情報提供動作を制御するための処理回路１７０２を備える。処理回路１７０２は、図１７Ａに示すように専用のハードウェアであっても、図１７Ｂに示すようにメモリ１７０５に格納されるプログラムを実行するＣＰＵ１７０６であってもよい。
【００６７】
処理回路１７０２が専用のハードウェアである場合、処理回路は、例えば、単一回路、複合回路、プログラム化したプロセッサー、並列プログラム化したプロセッサー、ＡＳＩＣ、ＦＰＧＡ、またはこれらを組み合わせたものが該当する。
【００６８】
処理回路１７０２がＣＰＵ１７０６の場合、選択情報記憶制御部１３、更新情報確認部１４、更新情報通知制御部１５の機能は、ソフトウェア、ファームウェア、または、ソフトウェアとファームウェとの組み合わせにより実現される。すなわち、選択情報記憶制御部１３、更新情報確認部１４、更新情報通知制御部１５は、ＨＤＤ１７０１、メモリ１７０５等に記憶されたプログラムを実行するＣＰＵ１７０６、システムＬＳＩ等の処理回路により実現される。また、ＨＤＤ１７０１、メモリ１７０５等に記憶されたプログラムは、選択情報記憶制御部１３、更新情報確認部１４、更新情報通知制御部１５の手順や方法をコンピュータに実行させるものであるとも言える。ここで、メモリ１７０５とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００６９】
なお、選択情報記憶制御部１３、更新情報確認部１４、更新情報通知制御部１５の各機能について、一部を専用のハードウェアで実現し、一部をソフトウェアまたはファームウェアで実現するようにしてもよい。例えば、選択情報記憶制御部１３については専用のハードウェアとしての処理回路１７０２でその機能を実現し、更新情報確認部１４、更新情報通知制御部１５については処理回路がメモリ１７０５に格納されたプログラムを読み出して実行することによってその機能を実現することが可能である。
【００７０】
情報提供装置１の選択情報記憶部１８は、ＨＤＤ１７０１を使用する。なお、これは一例にすぎず、選択情報記憶部１８は、ＤＶＤ、メモリ１７０５等によって構成されるものであってもよい。
情報提供装置１の通信部１７は、情報サーバ２等外部機器との通信を行う通信Ｉ／Ｆ装置１７０７を構成する。
情報提供装置１の表示部１６は、ディスプレイ１７０８を使用する。なお、これは一例であって、表示部１６は、その他のハードウェアで構成されるものであってもよい。
【００７１】
図１８Ａ，図１８Ｂは、この発明の実施の形態１における情報サーバ２のハードウェア構成の一例を示す図である。
情報サーバ２の情報取得部２５、更新情報通知制御部２２、情報更新部２３の各機能は、処理回路１８０２により実現される。すなわち、情報サーバ２は、情報提供装置１から問い合わせのあった情報を提供する動作を制御するための処理回路１８０２を備える。処理回路１８０２は、図１８Ａに示すように専用のハードウェアであっても、図１８Ｂに示すようにメモリ１８０４に格納されるプログラムを実行するＣＰＵ１８０５であってもよい。
【００７２】
処理回路１８０２が専用のハードウェアである場合、処理回路は、例えば、単一回路、複合回路、プログラム化したプロセッサー、並列プログラム化したプロセッサー、ＡＳＩＣ、ＦＰＧＡ、またはこれらを組み合わせたものが該当する。
【００７３】
処理回路１８０２がＣＰＵ１８０６の場合、情報取得部２５、更新情報通知制御部２２、情報更新部２３の機能は、ソフトウェア、ファームウェア、または、ソフトウェアとファームウェとの組み合わせにより実現される。すなわち、情報取得部２５、更新情報通知制御部２２、情報更新部２３は、ＨＤＤ１８０１、メモリ１８０４等に記憶されたプログラムを実行するＣＰＵ１８０５、システムＬＳＩ等の処理回路により実現される。また、ＨＤＤ１８０１、メモリ１８０４等に記憶されたプログラムは、情報取得部２５、更新情報通知制御部２２、情報更新部２３の手順や方法をコンピュータに実行させるものであるとも言える。ここで、メモリ１８０４とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００７４】
なお、情報取得部２５、更新情報通知制御部２２、情報更新部２３の各機能について、一部を専用のハードウェアで実現し、一部をソフトウェアまたはファームウェアで実現するようにしてもよい。例えば、情報取得部２５については専用のハードウェアとしての処理回路１８０２でその機能を実現し、更新情報通知制御部２２、情報更新部２３については処理回路がメモリ１８０４に格納されたプログラムを読み出して実行することによってその機能を実現することが可能である。
【００７５】
情報サーバ２の情報記憶部２４は、ＨＤＤ１８０１を使用する。なお、これは一例にすぎず、情報記憶部２７は、ＤＶＤ、メモリ１８０４等によって構成されるものであってもよい。
情報サーバ２の通信部２１は、情報提供装置１等外部機器との通信を行う通信Ｉ／Ｆ装置１８０３を構成する。
【００７６】
この発明の実施の形態１における情報管理制御装置３のハードウェア構成の一例は、図１７で示したハードウェア構成の一例と同様であるため、図１７を用いて説明する。
この発明の実施の形態１において、操作受付部３１は、マウス１７０３やキーボード１７０４である。
情報管理制御装置３の変更情報通知部３２、管理情報取得部３４、画面表示制御部３５の各機能は、処理回路１７０２により実現される。すなわち、情報管理制御装置３は、情報サーバ２で記憶する情報の管理動作を制御するための処理回路１７０２を備える。処理回路１７０２は、図１７Ａに示すように専用のハードウェアであっても、図１７Ｂに示すようにメモリ１７０５に格納されるプログラムを実行するＣＰＵ１７０６であってもよい。
【００７７】
処理回路１７０２が専用のハードウェアである場合、処理回路は、例えば、単一回路、複合回路、プログラム化したプロセッサー、並列プログラム化したプロセッサー、ＡＳＩＣ、ＦＰＧＡ、またはこれらを組み合わせたものが該当する。
【００７８】
処理回路１７０２がＣＰＵ１７０６の場合、変更情報通知部３２、管理情報取得部３４、画面表示制御部３５の機能は、ソフトウェア、ファームウェア、または、ソフトウェアとファームウェとの組み合わせにより実現される。すなわち、変更情報通知部３２、管理情報取得部３４、画面表示制御部３５は、ＨＤＤ１７０１、メモリ１７０５等に記憶されたプログラムを実行するＣＰＵ１７０６、システムＬＳＩ等の処理回路により実現される。また、ＨＤＤ１７０１、メモリ１７０５等に記憶されたプログラムは、変更情報通知部３２、管理情報取得部３４、画面表示制御部３５の手順や方法をコンピュータに実行させるものであるとも言える。ここで、メモリ１７０５とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００７９】
なお、変更情報通知部３２、管理情報取得部３４、画面表示制御部３５の各機能について、一部を専用のハードウェアで実現し、一部をソフトウェアまたはファームウェアで実現するようにしてもよい。例えば、変更情報通知部３２については専用のハードウェアとしての処理回路１７０２でその機能を実現し、管理情報取得部３４、画面表示制御部３５については処理回路がメモリ１７０５に格納されたプログラムを読み出して実行することによってその機能を実現することが可能である。
【００８０】
情報管理制御装置３の通信部３３は、情報サーバ２等外部機器との通信を行う通信Ｉ／Ｆ装置１７０７を構成する。
情報管理制御装置３の表示部３６は、ディスプレイ１７０８を使用する。なお、これは一例であって、表示部３６は、その他のハードウェアで構成されるものであってもよい。
【００８１】
なお、この実施の形態１では、情報提供装置１、情報サーバ２、情報管理制御装置３間では、カテゴリ名、コンテンツ名等、情報サーバ２で記憶する情報の名称によって、やり取りする情報を特定するものとして説明したが、これに限らず、カテゴリＩＤ、コンテンツＩＤ等でやり取りするようにしてもよく、やり取りする情報が特定できるようになっていればよい。
例えば、カテゴリＩＤやコンテンツＩＤ等でやり取りするようにしてもよく、その場合には、選択情報記憶部１８は、カテゴリＩＤやコンテンツＩＤ等を記憶しておくようにしておけばよい。
【００８２】
また、この実施の形態１では、情報管理制御装置３は、情報サーバ２で記憶する情報の更新を行う際には、情報サーバ２から、記憶する情報の内容を取得し、当該取得した内容に基づき、管理者からの更新指示を受け付けるようにしたが、これに限らず、情報管理制御装置３内に、情報サーバ２で記憶する情報の内容を記憶しておき、当該記憶しておいた情報に基づき、管理者からの更新指示を受け付けるようにしてもよい。
【００８３】
また、この実施の形態１では、情報記憶部２４に記憶された情報を削除する場合は、情報記憶部２４から完全に削除されるものとしたが、これに限らず、削除フラグを設定するようにしてもよい。そして、更新情報通知制御部２２は、当該削除フラグに１が設定されている情報は削除された情報であると判断し、削除情報を情報提供装置１に送信するようにしてもよい。この場合、更新情報通知制御部２２は、削除情報を情報提供装置１に送信すると、情報記憶部２４に記憶されていた該当の情報を完全に削除するようにする。
また、この実施の形態１において、作業者が複数の環境から更新情報を確認する場合は、情報提供装置１における確認情報指定処理において指定された、更新されているかの確認を行う情報を、クラウド上で保持するようにしてもよい。このようにしても、指定された、更新されているかの確認を行う情報は、情報サーバ２とは別に管理され、運用中の情報サーバ２の変更内容、負荷を最小限にすることができる。
【００８４】
以上のように、実施の形態１によると、情報提供装置１において、情報サーバ２が記憶している情報のうち、必要な情報を設定、記憶しておき、当該設定、記憶しておいた情報に基づき、情報の更新があるかどうかを情報サーバ２に問い合わせ、情報サーバ２では、情報提供装置１から問い合わせがあった情報に関して情報の更新を確認し、更新があった場合に、当該更新情報を情報提供装置１に送信するようにしたことで、情報サーバ２側では、情報提供装置１に応じて、送信すべき情報を管理、判断する必要がないため、運用中のシステムに導入されても最小限の変更量で対応でき、情報サーバ２側の負荷を抑えることができる情報提供システムを提供することができる。
【００８５】
また、本願発明はその発明の範囲内において、実施の形態の任意の構成要素の変形、もしくは実施の形態の任意の構成要素の省略が可能である。
【符号の説明】
【００８６】
１  情報提供装置
２  情報サーバ
３  情報管理制御装置
１１，３１  操作受付部
１２  選択画面表示制御部
１３  選択情報記憶制御部
１４  更新情報確認部
１５  更新情報通知制御部
１６，３６  表示部
１７，２１，３３  通信部
１８  選択情報記憶部
２２  更新情報通知制御部
２３  情報更新部
２４  情報記憶部
２５  情報取得部
３２  変更情報通知部
３４  管理情報取得部
３５  画面表示制御部
１０１  選択画面呼出指示受付部
１０２  情報選択受付部
３０１  画面呼出受付部
３０２  変更情報受付部
【図１】
2017157019.tif 000003
【図２】
2017157019.tif 000004
【図３】
2017157019.tif 000005
【図４】
2017157019.tif 000006
【図５】
2017157019.tif 000007
【図６】
2017157019.tif 000008
【図７】
2017157019.tif 000009
【図８】
2017157019.tif 000010
【図９】
2017157019.tif 000011
【図１０】
2017157019.tif 000012
【図１１】
2017157019.tif 000013
【図１２】
2017157019.tif 000014
【図１３】
2017157019.tif 000015
【図１４】
2017157019.tif 000016
【図１５】
2017157019.tif 000017
【図１６】
2017157019.tif 000018
【図１７】
2017157019.tif 000019
【図１８】
2017157019.tif 000020